(57)【要約】【課題】簡単に且つ速やかに運搬及び設置することができると共に運搬費用、梱包費用、設置費用等を低く抑えることができるブラインド装置を提供すること。【解決手段】ブラインド装置１は、縦部材４及び５を各々が有した縦枠２及び３と、縦枠２及び３に夫々配されている一対のリンク機構６及び７と、一端部８がリンク機構６に、他端部９がリンク機構７に連結されてなるスラット支持機構１０と、スラット支持機構１０に夫々支持されたスラット１２と、スラット１２を上昇、下降させる上昇・下降機構１３と、スラット１２の上昇、下降においてスラット１２を傾動させるチルト機構１４と、縦部材４及び５の夫々の端部１７、１８、３２及び３３を回動自在に連結する連結手段１９とを具備している。【選択図】      図１
2004176484.tif 000002
【特許請求の範囲】
【請求項１】
縦方向に直列に配された一対の縦部材を各々が有した一対の縦枠と、互いに並置されて一対の縦枠に夫々配されている一対のリンク機構と、一端部が一方のリンク機構に、他端部が他方のリンク機構に夫々回動自在に連結されてなる複数のスラット支持機構と、スラット支持機構の略中央部に夫々支持されたスラットと、スラットにスラット支持機構を介して連結されていると共にスラットを上昇及び下降させる上昇・下降機構と、上昇・下降機構によるスラットの上昇及び下降において一対のリンク機構に相対的な位置変化を生じさせて、スラットを傾動させるチルト機構と、各対の縦部材の夫々の側面が互いに重なり合うことができるように、各対の縦部材の夫々の端部を回動自在に連結する連結手段とを具備しているブラインド装置。
【請求項２】
連結手段は、一対の縦枠の夫々の略中間部で各対の縦部材の一方の端部を回動自在に連結する中間連結機構を具備しており、中間連結機構は、一方の縦枠の一対の縦部材の夫々の一方の端部と他方の縦枠の一対の縦部材の夫々の一方の端部とが互いに接近するように、各対の縦部材の夫々の一方の端部における外側面側に配されていると共に各対の縦部材の夫々の一方の端部を互いに回動自在に連結する軸を有している請求項１に記載のブラインド装置。
【請求項３】
一対の縦枠の上端部を橋絡している上枠と、一対の縦枠の下端部を橋絡している下枠とを具備しており、連結手段は、各対の縦部材のうちの一方の縦部材の他方の端部を上枠に回動自在に連結する上部連結機構と、各対の縦部材のうちの他方の縦部材の他方の端部を下枠に回動自在に連結する下部連結機構とを具備しており、上部連結機構は、一方の縦部材の他方の端部における内側面側に配された軸を有しており、下部連結機構は、他方の縦部材の他方の端部における内側面側に配された軸を有している請求項２に記載のブラインド装置。
【請求項４】
各対の縦部材の夫々の側面が互いに重ね合わされた状態を保持する保持手段を具備している請求項１から３のいずれか一項に記載のブラインド装置。
【請求項５】
保持手段は、一方の縦部材の他方の端部と他方の縦部材の他方の端部とを連結する連結部材を具備している請求項４に記載のブラインド装置。
【請求項６】
複数のスラット支持機構は、略中央部でスラットを支持するアーム部材を夫々具備しており、上昇・下降機構は、繰り出し端でアーム部材に連結されている可撓性の長尺体と、長尺体の巻き取り及び繰り出しを行う巻き取り及び繰り出し装置とを具備している請求項１から５のいずれか一項に記載のブラインド装置。
【請求項７】
長尺体は、繰り出し端でアーム部材に解除自在に連結されている請求項６に記載のブラインド装置。
【請求項８】
長尺体は、最上位のアーム部材に連結されている請求項６又は７に記載のブラインド装置。
【請求項９】
長尺体は、紐状又は帯状である請求項６から８のいずれか一項に記載のブラインド装置。
【請求項１０】
長尺体は、合成樹脂製糸の織物又は編物からなる請求項６から９のいずれか一項に記載のブラインド装置。
【請求項１１】
巻き取り及び繰り出し装置は、一対の縦枠の夫々の上端側に回転自在に支持されていると共に長尺体の一端が固着されているプーリと、プーリを回転させる回転駆動装置とを具備している請求項６から１０のいずれか一項に記載のブラインド装置。
【請求項１２】
複数のスラット支持機構は、略中央部でスラットを支持するアーム部材を夫々具備しており、一方のリンク機構は、各アーム部材の一端部に連結された可撓性の帯状体を具備しており、他方のリンク機構は、各アーム部材の他端部に連結された可撓性の帯状体を具備している請求項１から１１のいずれか一項に記載のブラインド装置。
【請求項１３】
帯状体は、合成樹脂製糸の織物又は編物からなる請求項１２に記載のブラインド装置。
【発明の詳細な説明】
【０００１】
【発明の属する技術分野】
本発明は、建物の窓等の開口部に配されて、当該開口部を開閉するためのブラインド装置に関する。
【０００２】
【従来の技術】
ブラインド装置として、上枠、下枠及び一対の縦枠と、一対の縦枠に夫々配されている互いに並置された一対のリンク機構と、一端部で一方のリンク機構に、他端部で他方のリンク機構に夫々回動自在に連結されてなる複数のスラット支持機構と、スラット支持機構の夫々に支持されたスラットと、スラット支持機構のアーム部材に連結されており、アーム部材を引き上げてスラットを上昇させる一方、アーム部材を下降させてスラットを下降させる上昇・下降機構と、上昇・下降機構によるスラットの上昇、下降において一対のリンク機構に相対的な位置変化を生じさせて、スラットを傾動させるチルト機構とを具備してなるものがある。
【０００３】
【特許文献１】
特開平８−３２６４４５号公報
【０００４】
【発明が解決しようとする課題】
ところで、斯かるブラインド装置の設置に際しては、工場等で製造された多数の部品を施工現場に運搬し、施工現場においてこれら運搬されて来た多数の部品を組み立てるようにしている結果、在庫管理が煩雑となる上に、運搬費、梱包費等が嵩み、加えて、施工現場での組み立てとなるため、多くの作業時間を必要とする虞がある。
【０００５】
本発明は、前記諸点に鑑みてなされたものであり、その目的とするところは、簡単に且つ速やかに運搬及び設置することができると共に運搬費用、梱包費用、設置費用等を低く抑えることができるブラインド装置を提供することにある。
【０００６】
【課題を解決するための手段】
本発明の第一の態様のブラインド装置は、縦方向に直列に配された一対の縦部材を各々が有した一対の縦枠と、互いに並置されて一対の縦枠に夫々配されている一対のリンク機構と、一端部が一方のリンク機構に、他端部が他方のリンク機構に夫々回動自在に連結されてなる複数のスラット支持機構と、スラット支持機構の略中央部に夫々支持されたスラットと、スラットにスラット支持機構を介して連結されていると共にスラットを上昇及び下降させる上昇・下降機構と、上昇・下降機構によるスラットの上昇及び下降において一対のリンク機構に相対的な位置変化を生じさせて、スラットを傾動させるチルト機構と、各対の縦部材の夫々の側面が互いに重なり合うことができるように、各対の縦部材の夫々の端部を回動自在に連結する連結手段とを具備している。
【０００７】
第一の態様のブラインド装置によれば、上記構成を具備しているために、連結手段により回動自在に連結されている各対の縦部材を回動させて、当該各対の縦部材の夫々の側面を互いに重ね合わせることにより各対の縦部材を折り畳むことができて占有スペースを縮小でき、また、夫々の側面が互いに重ね合わされている各対の縦部材を夫々互いに回動させて、当該各対の縦部材を伸長させ、各対の縦部材の折り畳みを解除することにより組み立てることができ、而して、ブラインド装置を簡単に且つ速やかに運搬及び組み立てることができると共に運搬費用、梱包費用、設置費用等を低く抑えることができる。
【０００８】
本発明の第二の態様のブラインド装置では、本発明の第一の態様のブラインド装置において、連結手段は、一対の縦枠の夫々の略中間部で各対の縦部材の一方の端部を回動自在に連結する中間連結機構を具備しており、中間連結機構は、一方の縦枠の一対の縦部材の夫々の一方の端部と他方の縦枠の一対の縦部材の夫々の一方の端部とが互いに接近するように、各対の縦部材の夫々の一方の端部における外側面側に配されていると共に各対の縦部材の夫々の一方の端部を互いに回動自在に連結する軸を有している。
【０００９】
第二の態様のブラインド装置によれば、上記構成を具備しているために、各対の縦部材を夫々互いに上記軸を介して回動させることで、一方の縦枠の一対の縦部材の夫々の一方の端部と他方の縦枠の一対の縦部材の夫々の一方の端部とを互いに接近させて、一方の縦枠を他方の縦枠側に、他方の縦枠を一方の縦枠側に仕舞い込むことができ、而して、当該各対の縦部材を張り出させることなく、ブラインド装置を折り畳んでコンパクトにすることができる。
【００１０】
本発明の第三の態様のブラインド装置は、本発明の第二の態様のブラインド装置において、一対の縦枠の上端部を橋絡している上枠と、一対の縦枠の下端部を橋絡している下枠とを具備しており、連結手段は、各対の縦部材のうちの一方の縦部材の他方の端部を上枠に回動自在に連結する上部連結機構と、各対の縦部材のうちの他方の縦部材の他方の端部を下枠に回動自在に連結する下部連結機構とを具備しており、上部連結機構は、一方の縦部材の他方の端部における内側面側に配された軸を有しており、下部連結機構は、他方の縦部材の他方の端部における内側面側に配された軸を有している。
【００１１】
本発明の第四の態様のブラインド装置は、本発明の第一から第三のいずれかの態様のブラインド装置において、各対の縦部材の夫々の側面が互いに重ね合わされた状態を保持する保持手段を具備している。
【００１２】
第四の態様のブラインド装置によれば、上記構成を具備しているために、例えば、折り畳まれたブラインド装置に多少の振動が与えられた場合においても、当該折り畳み状態をしっかりと維持することができ、而して、当該ブラインド装置の運搬を速やかに行い得る。
【００１３】
本発明の第五の態様のブラインド装置では、本発明の第四の態様のブラインド装置において、保持手段は、一方の縦部材の他方の端部と他方の縦部材の他方の端部とを連結する連結部材を具備している。
【００１４】
第五の態様のブラインド装置によれば、上記構成を具備しているために、各対の縦部材の夫々の側面が重なり合った状態を強固に保持することができる。
【００１５】
本発明の第六の態様のブラインド装置では、本発明の第一から第五のいずれかの態様のブラインド装置において、複数のスラット支持機構は、略中央部でスラットを支持するアーム部材を夫々具備しており、上昇・下降機構は、繰り出し端でアーム部材に連結されている可撓性の長尺体と、長尺体の巻き取り及び繰り出しを行う巻き取り及び繰り出し装置とを具備している。
【００１６】
第六の態様のブラインド装置によれば、上記構成を具備しているために、長尺体を一対の縦枠の折り畳みと共に撓ませることができて、当該長尺体を縦枠から取り外す手間をなくし得、而して、ブラインド装置の折り畳み及び組み立てをスムーズに行い得る。
【００１７】
本発明の第七の態様のブラインド装置では、本発明の第六の態様のブラインド装置において、長尺体は、繰り出し端でアーム部材に解除自在に連結されている。
【００１８】
第七の態様のブラインド装置によれば、上記構成を具備しているために、ブラインド装置を折り畳む場合に、例えば、長尺体をアーム部材から取り外して巻き取り及び繰り出し装置により巻き取っておくことにより、当該ブラインド装置の運搬時等に長尺体に他の物が触れることによって当該長尺体が損傷することを防ぎ得る。
【００１９】
本発明の第八の態様のブラインド装置では、本発明の第六又は第七の態様のブラインド装置において、長尺体は、最上位のアーム部材に連結されている。
【００２０】
本発明の第九の態様のブラインド装置では、本発明の第六から第八のいずれかの態様のブラインド装置において、長尺体は、紐状又は帯状である。
【００２１】
本発明の第十の態様のブラインド装置では、本発明の第六から第九のいずれかの態様のブラインド装置において、長尺体は、合成樹脂製糸の織物又は編物からなる。
【００２２】
本発明の第十一の態様のブラインド装置では、本発明の第六から第十のいずれかの態様のブラインド装置において、巻き取り及び繰り出し装置は、一対の縦枠の夫々の上端側に回転自在に支持されていると共に長尺体の一端が固着されているプーリと、プーリを回転させる回転駆動装置とを具備している。
【００２３】
本発明の第十二の態様のブラインド装置では、本発明の第一から第十一のいずれかの態様のブラインド装置において、複数のスラット支持機構は、略中央部でスラットを支持するアーム部材を夫々具備しており、一方のリンク機構は、各アーム部材の一端部に連結された可撓性の帯状体を具備しており、他方のリンク機構は、各アーム部材の他端部に連結された可撓性の帯状体を具備している。
【００２４】
第十二の態様のブラインド装置によれば、上記構成、特に可撓性の帯状体を具備しているために、ブラインド装置のリンク機構の折り畳み及び伸長を滑らかに行い得る。
【００２５】
本発明の第十三の態様のブラインド装置では、本発明の第十二の態様のブラインド装置において、帯状体は、合成樹脂製糸の織物又は編物からなる。
【００２６】
次に本発明及びその実施の形態を、図に示す好ましい例に基づいて更に詳細に説明する。なお、本発明は、これらに何等限定されないのである。
【００２７】
【発明の実施の形態】
図１から図１５において、本例のブラインド装置１は、縦方向に直列に配された矩形状であって中空の一対の縦部材４及び５を各々が有した一対の縦枠２及び３と、縦枠２及び３の夫々の上端部を橋絡している上枠２１と、縦枠２及び３の夫々の下端部を橋絡している下枠２２と、互いに並置されて縦枠２及び３に夫々配されている一対のリンク機構６及び７と、一端部８がリンク機構６に、他端部９がリンク機構７に夫々回動自在に連結されてなる複数のスラット支持機構１０と、スラット支持機構１０の略中央部１１に夫々支持されたスラット１２と、最上位のスラット１２にスラット支持機構１０を介して連結されていると共に最上位のスラット１２を引き上げて各スラット１２を上昇させ、最上位のスラット１２を下降させて各スラット１２を下降させる上昇・下降機構１３と、上昇・下降機構１３によるスラット１２の上昇、下降においてリンク機構６及び７に相対的な位置変化を生じさせて、スラット１２を傾動させるチルト機構１４と、各対の縦部材４及び５の夫々の外側面１５及び１６が互いに重なり合うことができるように、各対の縦部材４及び５の夫々の端部１７、１８、３２及び３３を回動自在に連結する連結手段１９と、縦部材４及び５の外側面１５及び１６が互いに重ね合わされた状態を保持する保持手段２０とを具備している。
【００２８】
縦枠２側と縦枠３側とは、夫々同様に形成されているので、以下、縦枠２側について詳細に説明し、縦枠３側については同符号を図に示して詳細な説明を省略する。
【００２９】
連結手段１９は、縦枠２の夫々の略中間部３０で縦部材４及び５の端部１７及び１８を回動自在に連結する中間連結機構３１と、縦部材４の他方の端部３２を上枠２１に回動自在に連結する上部連結機構３４と、縦部材５の他方の端部３３を下枠２２に回動自在に連結する下部連結機構３５とを具備している。
【００３０】
中間連結機構３１は、縦部材４及び５の端部１７及び１８における外側面１５及び１６側に配された軸４１を有しており、上部連結機構３４は、縦部材４の端部３２における内側面４２側に配された軸４３と、縦部材４の端部３２に軸４３を介して回動自在に連結されていると共に上枠２１の端部４４に固定されている中空の連結体４５とを有しており、下部連結機構３５は、縦部材５の端部３３における内側面４６側に配された軸４７と、縦部材５の端部３３に軸４７を介して回動自在に連結されていると共に下枠２２の端部４８に固定されている中空の連結体４９とを有している。
【００３１】
軸４１は縦部材４及び５の端部１７及び１８に、軸４３は縦部材４の端部３２及び連結体４５の下端部に、軸４７は縦部材５の端部３３及び連結体４９の上端部に、夫々ブラケット５０を介して配設されている。
【００３２】
以上の連結手段１９は、外側面１５及び１６側に配されている軸４１と、内側面４２側に配されている軸４３と、内側面４６側に配されている軸４７とを有しているために、軸４１が内方（縦枠３側）に移動するように、縦部材４を縦部材５及び連結体４５に対して回動させると共に、縦部材５を縦部材４及び連結体４９に対して回動させて、縦部材４及び５の夫々の外側面１５及び１６を図１５に示すように互いに重ね合わせた状態、即ち、縦枠２を折り畳んだ状態にするようになっており、また、軸４１が外方に移動するように、縦部材４を縦部材５及び連結体４５に対して上記回動方向とは逆の方向に回動させると共に、縦部材５を縦部材４及び連結体４９に対して上記回動方向とは逆の方向に回動させて、縦部材４及び５が図１及び図２に示すように互いに縦方向に直列した状態、即ち、縦枠２を伸長させた状態にするようになっている。ここで、縦枠３の縦部材４及び５も上述と同様にして縦枠３を折り畳んだ状態及び伸長させた状態にするようになっているので、ブラインド装置１を折り畳む際には、縦枠２の縦部材４及び５の端部１７及び１８と縦枠３の縦部材４及び５の端部１７及び１８とは、夫々互いに接近するようになっており、ブラインド装置１を組み立てる際には、縦枠２の縦部材４及び５の端部１７及び１８と縦枠３の縦部材４及び５の端部１７及び１８とは、夫々互いに離反するようになっている。
【００３３】
保持手段２０は、縦部材４の端部３２における後方の側面６５に固着されている板状体６１と、縦部材５の端部３３における後方の側面６６に固着されている板状体６２と、板状体６１及び６２の夫々に固定されることで端部３２及び端部３３を連結する連結部材６３とを具備している。
【００３４】
縦枠２の折り畳み状態において、板状体６１は、上枠２１及び縦部材４間に位置するように縦部材４の内側面４２側に突出した突出部７１を具備しており、板状体６２は、下枠２２及び縦部材５間に位置するように縦部材５の内側面４６側に突出した突出部７１を具備しており、連結部材６３は、突出部７１の夫々にねじ等により固定されて縦部材４及び５の回動を禁止するようになっている。
【００３５】
以上の保持手段２０によれば、縦部材４及び５の端部３２及び３３を連結する連結部材６３を具備しているために、各対の縦部材４及び５の回動を禁止してブラインド装置１の折り畳み状態をしっかりと維持することができる。
【００３６】
リンク機構６は、各アーム部材９５の一端部８に連結された一本の可撓性の帯状体８１を具備しており、リンク機構７は、各アーム部材９５の他端部９に連結された一本の可撓性の帯状体８２を具備している。
【００３７】
合成樹脂製糸の織物又は編物からなる帯状体８１及び８２の夫々には、図７に示すように、部位８３及び８４で縫合又は溶着された三層の重ね合わせ部８５と、重ね合わせ部８５に連続したループ部８６とをその長手方向に等間隔に有していると共に、図８及び図９に示すように、その長手方向において略等間隔であってループ部８６間の略中間に折り畳み方向を規定する縫合線部又は溶着線部８７を有しており、アーム部材９５の夫々は、軸部９４が帯状体８１及び８２のループ部８６に挿着されて帯状体８１及び８２を介して互いに連結されている。
【００３８】
リンク機構６及び７は、縫合線部又は溶着線部８７において帯状体８１及び８２を意図した方向に容易に折り畳むことができる結果、リンク機構６及び７の折り畳み、伸長を滑らかに行わせることができ、スラット１２の引き上げ、下降を容易に行い得、しかも、リンク機構６及び７を短時間で組み立てできる上に、ループ部８６にアーム部材９５の軸部９２及び９４を挿入することにより簡単に各スラット支持機構１０をリンク機構６及び７を介して連結できる。尚、図８においては、各アーム本体９９の全てにおいて帯状体８１及び８２が同時的に折り畳まれるように示されているが、実際には、スラット１２の下降に際しては、下方の各アーム本体９９間から順次上方の各アーム本体９９間に帯状体８１及び８２の折り畳みが行われるようになり、最後に図６に示すように各アーム本体９９間の全てにおいて帯状体８１及び８２が折り畳まれるようになり、スラット１２の上昇に際しては、上方の各アーム本体９９間から順次下方の各アーム本体９９間に帯状体８１及び８２の折り畳みの解除、即ち、伸長が行われるようになる。また、帯状体８１及び８２が可撓性を有しているので、各アーム本体９９間で折り畳まれた帯状体８１及び８２は、縫合線部又は溶着線部８７側に向かうに従って順次下方に垂れ下がるようになる。
【００３９】
スラット支持機構１０の夫々は、一端部８が帯状体８１のループ部８６に軸部９２を介して回動自在に連結されており、他端部９が帯状体８２のループ部８６に軸部９４を介して回動自在に連結されているアーム部材９５と、アーム部材９５の略中央部１１に一体的に固着されて、水平方向に伸びた取付部９６とを有しており、取付部９６は、縦枠２に形成された縦方向に伸びる案内路１３７を通って伸長していると共にアーム部材９５の略中央部１１に一端で固着された軸部９７と、スラット１２の一端部が嵌着されている板状嵌着部９８とを一体的に具備しており、各軸部９７には、回転自在にスライダ部材２０１が装着されており、スライダ部材２０１は、案内路１３７の直線案内面１３５に上下動自在に配されており、こうしてスラット支持機構１０の夫々は、案内路１３７に案内されて、上下動自在であって、アーム部材９５の夫々は、アーム本体９９と、アーム本体９９の一端部８及び他端部９に夫々設けられている軸部９２及び９４とを具備しており、その略中央部１１でスラット１２の夫々を支持している。
【００４０】
上昇・下降機構１３は、繰り出し端１０３で最上位のアーム部材９５に解除自在（取り外し自在）に連結されている紐状又は帯状の可撓性の長尺体１０１と、長尺体１０１の巻き取り及び繰り出しを行う巻き取り及び繰り出し装置１０２とを具備している。長尺体１０１は、本例では、合成樹脂製糸の織物又は編物からなる。
【００４１】
巻き取り及び繰り出し装置１０２は、上枠２１内に配されていると共に縦枠２及び３の夫々の連結体４５に回転自在に支持されている回転軸１１９と、回転軸１１９に固着されていると共に縦枠２の上端側に位置する連結体４５に回転自在に支持されており、長尺体１０１の一端が固着されているプーリ１１２と、長尺体１０１の繰り出し端１０３が固着されていると共に、アーム本体９９に軸部９７と反対の位置で当該軸部９７と同心となるように固着されている軸１１３と、軸１１３に回転自在に取り付けられた可動台１１４と、ローラ案内路１１５に配されて、可動台１１４に回転自在に支持されたローラ１１６及び１１７と、プーリ１１２を回転させる回転駆動装置１１８とを具備している。
【００４２】
ローラ案内路１１５は、縦部材４及び５並びに連結体４５及び４９の夫々の内壁に一体的に形成された一対の案内壁１２０により画成されている。案内壁１２０は、縦枠２が伸長された際に、各案内壁１２０の端面が縦部材４及び５並びに連結体４５及び４９の夫々の端面の接合と共に夫々接合されて、縦方向に伸びた一本のローラ案内路１１５を構成するようになっている。
【００４３】
回転駆動装置１１８は、回転軸１１９に固着されているベベルギヤ１２１と、ベベルギヤ１２１に歯合していると共に上枠２１に回転自在に支持されているベベルギヤ１２２と、ベベルギヤ１２２の軸部に固着されている歯車１２３と、歯車１２３に歯合していると共に、上枠２１に取り付けられたケース１２４に軸１２５を介して回転自在に支持されている歯車１２６と、軸１２５に固着された滑車１２７と、滑車１２７に巻き付けられた無端の玉チェーン１２８と、スラット１２、アーム部材９５等の自重によっては回転軸１１９を回転させないようにする一方、玉チェーン１２８の走行による滑車１２７の回転を許容する程度の制動を回転軸１１９に与える制動機構２００とを具備している。
【００４４】
上昇・下降機構１３は、長尺体１０１の繰り出し端１０３が軸１１３を介してスラット支持機構１０に連結されていることにより、最上位のスラット支持機構１０を引き上げることができるようになっている。
【００４５】
チルト機構１４は、最上位のアーム本体９９と一体なチルトアーム１３１と、チルトアーム１３１の回動状態を設定するカム機構１３２とを具備している。
【００４６】
カム機構１３２は、チルトアーム１３１の中間部に回転自在に取り付けられたカムローラ１３３と、縦部材４に設けられていて、上昇・下降機構１３によるスラット支持機構１０の上端の引き上げにおいてカムローラ１３３の移動を案内する案内面１３４とを具備している。
【００４７】
案内面１３４は、縦方向に伸びた直線案内面１３５と、直線案内面１３５に連続しており、直線案内面１３５の伸びる方向に対して交差、本例では直交して伸びた交差案内面１３６とを具備しており、直線案内面１３５は、軸部９７が貫通すると共に、軸部９７の上下移動を許容するように縦方向に伸びた案内路１３７を画定しており、交差案内面１３６は、案内路１３７に連続しており、案内路１３７の伸びる方向に対して交差、本例では直交して伸びた交差案内路１３８を画定している。
【００４８】
尚、帯状体８１の下端は、最下位のアーム部材９５の一端部８における軸部９２で終端されている一方、帯状体８２の下端は、最下位のアーム部材９５の他端部９における軸部９４から更に伸びて弾性機構１４１に連結されている。
【００４９】
弾性機構１４１は、連結体４９の下端に固定されたブラケット１４２と、ブラケット１４２に取り付けられた案内ロッド１４３と、案内ロッド１４３に縦方向に移動自在に装着された可動体１４４と、可動体１４４を下方に弾性的に付勢するように、ブラケット１４２と可動体１４４との間に案内ロッド１４３を取り囲んで配されたコイルばね１４５と、可動体１４４に固着された軸ピン１４６とを具備しており、帯状体８１の下端のループ部８６に軸ピン１４６が挿通されており、こうして帯状体８１の下端は、軸ピン１４６を介して可動体１４４に連結されている。
【００５０】
以上のブラインド装置１では、図１及び図２に示す開口部の開放状態においては、帯状体８１及び８２は図６に示すように折り畳まれており、スラット１２の夫々は下方に互いに密に重合されて（束ねられて）いる。開口部の閉鎖に際しては、まず、玉チェーン１２８の走行による滑車１２７の回転により、歯車１２３及び１２６、ベベルギヤ１２１及び１２２並びに回転軸１１９を介してプーリ１１２が回転され、これにより長尺体１０１がプーリ１１２に巻き込まれて、チルトアーム１３１が可動台１１４並びにローラ１１６及び１１７を介してローラ案内路１１５に案内されて上昇されると共に、チルトアーム１３１の上昇により、図１０に示すように、帯状体８１及び８２もその上端側から伸長され、而して、アーム部材９５も上方側から上方に引き上げられる結果、アーム部材９５に固定されたスラット１２の夫々は、順次、閉鎖方向に引き上げられる。カムローラ１３３が直線案内面１３５に当接して案内されている際には、スラット１２がほぼ水平方向の傾動状態に保持される。
【００５１】
更に、長尺体１０１のプーリ１１２への巻き込みにより帯状体８１及び８２が伸長されて、開口部の完全閉鎖直前位置で帯状体８１が伸びきると、帯状体８１は、コイルばね１４５により弾性的に下方に付勢されて、チルトアーム１３１に図１０において反時計回りの回転モーメントを生じさせることになる。斯かる状態でカムローラ１３３が交差案内面１３６に臨んで、直線案内面１３５への当接案内から交差案内面１３６への当接案内に移行して交差案内路１３８に配されると、チルトアーム１３１が回動され始めて、帯状体８１に対して帯状体８２がより引き上げられるようになり、これにより図１１においてスラット１２が反時計回りの方向に回動され、順次垂直方向の傾動状態に設定される。更に長尺体１０１のプーリ１１２への巻き込みにより、交差案内面１３６への当接案内に基づくチルトアーム１３１の回動で、図１１に示すように、帯状体８１及び８２のほぼ全長が伸長されて、スラット１２がほぼ垂直方向の傾動状態に保持されて図１２に示すように全閉される。その後、玉チェーン１２８の走行が停止され閉鎖動作が完了する。玉チェーン１２８の走行停止が若干遅れて、伸びきった帯状体８１において、その下端が上方に引っ張られても、コイルばね１４５により弾性的に下方に付勢された可動体１４４が上方に移動するため、玉チェーン１２８の走行の停止が遅れても、帯状体８１の下端が損傷することがない。
【００５２】
開口部の開放においては、玉チェーン１２８が前記と逆走行され、これによりカムローラ１３３が交差案内面１３６への当接案内から直線案内面１３５への当接案内に移行して、帯状体８１及び８２は下方から順次折り畳まれるようになる。
【００５３】
以上のブラインド装置１を折り畳む場合には、まず、ブラインド装置１を上述のようにして図１に示す開口部を開放してスラット１２の夫々を下方、即ち、縦枠２及び３側の夫々の連結体４９間に配置する。次に、図１３に示すように、縦枠２の縦部材４及び５の夫々の端部１７及び１８と縦枠３の縦部材４及び５の夫々の端部１７及び１８とが夫々互いに接近するように、各対の縦部材４及び５を回動させて、図１５に示すように縦部材４及び５の外側面１５及び１６を重ね合わせ、而して、縦枠２及び３の夫々を折り畳んだ状態にする。ここで、長尺体１０１は、図１４に示すように、縦枠２及び３が夫々折り畳まれることにより連結体４５及び縦部材４間、縦部材４及び５間並びに縦部材５及び連結体４９間で撓められるようになっている。尚、縦枠２及び３を折り畳む際には、長尺体１０１を軸１１３から取り外して、プーリ１１２に巻き付けておいてもよい。最後に、外側面１５及び１６が重ね合わされた縦部材４及び５の夫々の端部３２及び３３に固着されている（本例では、ねじ等により取り外し自在に固着されている）板状体６１及び６２の夫々の突出部７１に連結部材６３をねじ等により固定することにより縦部材４及び５の回動を禁止し、而して、縦枠２及び３の折り畳み状態をしっかりと維持する。
【００５４】
上述のようにして折り畳まれたブラインド装置１は、上記の折り畳む順序とは逆の順序により組み立てられる。
【００５５】
以上のブラインド装置１によれば、各対の縦部材４及び５の夫々の外側面１５及び１６が互いに重なり合うことができるように、各対の縦部材４及び５の夫々の端部１７及び１８を夫々互いに回動自在に連結する連結手段１９を具備しているために、連結手段１９により互いに回動自在に連結されている各対の縦部材４及び５を夫々互いに回動させて、当該各対の縦部材４及び５の夫々の外側面１５及び１６を互いに重ね合わせることにより、各対の縦部材４及び５を折り畳むことができて占有スペースを縮小でき、また、夫々の外側面１５及び１６が互いに重ね合わされている各対の縦部材４及び５を夫々互いに回動させて、当該各対の縦部材４及び５を伸長させ、各対の縦部材４及び５の折り畳みを解除することにより組み立てることができ、而して、ブラインド装置１を簡単に且つ速やかに運搬及び組み立てることができると共に運搬費用、梱包費用、設置費用等を低く抑えることができ、連結手段１９が、縦枠２及び３の夫々の略中間部３０で各対の縦部材４及び５の端部１７及び１８を回動自在に連結する中間連結機構３１を具備しており、中間連結機構３１は、縦枠２の縦部材４及び５の夫々の端部１７及び１８と縦枠３の縦部材４及び５の夫々の端部１７及び１８とが互いに接近するように、各対の縦部材４及び５の夫々の端部１７及び１８における外側面１５及び１６側に配された軸４１を有しているために、各対の縦部４及び５材を夫々互いに軸４１を介して回動させることで、縦枠２の縦部材４及び５の夫々の端部１７及び１８と縦枠３の縦部材４及び５の夫々の端部１７及び１８とを互いに接近させて、縦枠２を縦枠３側に、縦枠３を縦枠２側に仕舞い込むことができ、而して、当該各対の縦部材４及び５をブラインド装置１の外側に張り出させることなく、当該ブラインド装置１を折り畳んでコンパクトにすることができ、各対の縦部材４及び５の夫々の外側面１５及び１６が互いに重ね合わされた状態を保持する保持手段２０を具備しているために、例えば、折り畳まれたブラインド装置１に多少の振動が与えられた場合においても、当該折り畳み状態をしっかりと維持することができ、而して、当該ブラインド装置１の運搬を速やかに行い得、保持手段が、縦部材４の端部３２と縦部材５の端部３３とを連結する連結部材６３を具備しているために、各対の縦部材４及び５の夫々の外側面１５及び１６が重なり合った状態を強固に保持することができ、上昇・下降機構１３が、繰り出し端１０３でアーム部材９５に連結されている可撓性の長尺体１０１と、長尺体１０１の巻き取り及び繰り出しを行う巻き取り及び繰り出し装置１０２とを具備しているために、ブラインド装置１を折り畳む場合に、長尺体１０１を縦枠２及び３の折り畳みと共に撓ませることができて、当該長尺体１０１を縦枠２及び３から取り外す手間をなくし得、而して、ブラインド装置１の折り畳み及び組み立てをスムーズに行い得、長尺体１０１が、繰り出し端１０３でアーム部材９５に解除自在に連結されているために、ブラインド装置１を折り畳む場合に、長尺体１０１をアーム部材９５から取り外して巻き取り及び繰り出し装置１０２により巻き取っておくことにより、当該ブラインド装置１の運搬時等に、長尺体１０１に他の物が触れることによって当該長尺体１０１が損傷することを防ぎ得、リンク機構６は、各アーム部材９５の一端部８に連結された可撓性の帯状体８１を具備しており、リンク機構７は、各アーム部材９５の他端部９に連結された可撓性の帯状体８２を具備しているために、リンク機構６及び７の折り畳み及び伸長を滑らかに行い得る。
【００５６】
また、ブラインド装置１では、縫合線部又は溶着線部８７において帯状体８１及び８２を意図した方向に容易に折り畳むことができる結果、リンク機構６及び７の折り畳み、伸長を滑らかに行うことができ、スラット１２の引き上げ、下降を容易に行い得、しかも、リンク機構６及び７を短時間で組み立てできる上に、ループ部８６にアーム部材９５の軸部９２及び９４を挿入することにより、簡単に各スラット支持機構１０をリンク機構６及び７を介して連結できる。
【００５７】
上記の上昇・下降機構１３では、玉チェーン１２８を具備して、手動でスラット１２を引き上げるように構成したが、これに代えて、電動モータを具備して、自動でスラット１２を引き上げるように上昇・下降機構を構成してもよい。
【００５８】
また、上昇・下降機構１３は、本例では、最上位のアーム部材９５に連結されているが、長尺体１０１の繰り出し端１０３を最下位のアーム部材９５に連結させてもよく、この場合、ブラインド装置１を折り畳む際には、各アーム部材９５に支持されている各スラット１２は、連結体４５間に配置される。
【００５９】
【発明の効果】
本発明によれば、簡単に且つ速やかに運搬及び設置することができると共に、運搬費用等を低く抑えることができるブラインド装置を提供し得る。
【図面の簡単な説明】
【図１】本発明の実施の形態の例の正面説明図である。
【図２】図１に示す例の側断面説明図である。
【図３】図１に示す例の一部拡大側面説明図である。
【図４】図１に示す例の一部拡大正面説明図である。
【図５】図１に示す例の主にスラット支持機構の説明図である。
【図６】図１に示す例の主にリンク機構の説明図である。
【図７】図１に示す例の主にリンク機構の一部拡大説明図である。
【図８】図１に示す例の主にリンク機構の動作説明図である。
【図９】図１に示す例の主にリンク機構の動作説明図である。
【図１０】図１に示す例の動作説明図である。
【図１１】図１に示す例の動作説明図である。
【図１２】図１に示す例の動作説明図である。
【図１３】図１に示す例の動作説明図である。
【図１４】図１に示す例の動作説明図である。
【図１５】図１に示す例の動作説明図である。
【符号の説明】
１  ブラインド装置
２、３  縦枠
４、５  縦部材
６、７  リンク機構
８  一端部
９  他端部
１０  スラット支持機構
１１  略中央部
１２  スラット
１３  上昇・下降機構
１４  チルト機構
１５、１６  外側面
１７、１８、３２、３３  端部
１９  連結手段
２０  保持手段
２１  上枠
２２  下枠
【図１】
2004176484.tif 000003
【図２】
2004176484.tif 000004
【図３】
2004176484.tif 000005
【図４】
2004176484.tif 000006
【図５】
2004176484.tif 000007
【図６】
2004176484.tif 000008
【図７】
2004176484.tif 000009
【図８】
2004176484.tif 000010
【図９】
2004176484.tif 000011
【図１０】
2004176484.tif 000012
【図１１】
2004176484.tif 000013
【図１２】
2004176484.tif 000014
【図１３】
2004176484.tif 000015
【図１４】
2004176484.tif 000016
【図１５】
2004176484.tif 000017